(57)【要約】  【課題】姿勢制御板40の組立性を向上できる自動販売機の商品収納装置を提供する。  【解決手段】商品収納通路26を形成するコラムレール31の下縁には、筒状に曲げたカール部33を設け、カール部33の軸方向中間位置に切欠部を設ける。姿勢制御板40には、コラムレール31の切欠部から軸方向両端側のカール部33にそれぞれ差し込んで回動可能に取り付ける軸部41を設け、軸部41の軸方向中間位置に離間部が設ける。コイルばね46のコイル部47を軸方向に縮めて、姿勢制御板40の離間部から軸方向両端側の軸部41間に取り付ける。コイルばね46で、姿勢制御板40を商品収納通路26内に突出する方向に付勢する。予めコイルばね46を姿勢制御板40に組み付けておくことが可能で、組立時にコイルばね46が外れることがなく、組立性が向上する。  【選択図】図１
2006190123.tif 000002
【特許請求の範囲】
【請求項１】
商品収納通路を形成するレール部材を有し、このレール部材に一対の姿勢制御板取付部が設けられたコラムと、
前記レール部材の一対の姿勢制御板取付部にそれぞれ差し込まれて回動可能に取り付けられる軸部、およびこの軸部の軸方向中間位置に離間部が設けられた姿勢制御板と、
コイル部を有し、このコイル部の軸方向寸法が前記軸部の離間部の寸法より大きく、コイル部が軸方向に縮められて離間部から軸方向両端側の軸部間に取り付けられ、前記姿勢制御板を商品収納通路内に突出する方向に付勢するコイルばねと
を具備していることを特徴とする自動販売機の商品収納装置。
【請求項２】
商品収納通路を形成するレール部材を有し、このレール部材に筒状に曲げたカール部、およびこのカール部の軸方向中間位置に切欠部が設けられたコラムと、
前記レール部材の切欠部から軸方向両端側のカール部にそれぞれ差し込まれて回動可能に取り付けられる軸部、およびこの軸部の軸方向中間位置に離間部が設けられた姿勢制御板と、
コイル部を有し、このコイル部の軸方向寸法が前記軸部の離間部の寸法より大きく、コイル部が軸方向に縮められて離間部から軸方向両端側の軸部間に取り付けられ、前記姿勢制御板を商品収納通路内に突出する方向に付勢するコイルばねと
を具備していることを特徴とする自動販売機の商品収納装置。
【請求項３】
レール部材は、商品収納通路内へ向けて下降傾斜するとともに商品寸法に応じて位置調整可能な投入レールである
ことを特徴とする請求項１または２記載の自動販売機の商品収納装置。
【請求項４】
姿勢制御板は、軸方向一端側への軸部の突出寸法が軸方向他端側への軸部の突出寸法より大きく、
コイルばねは、前記姿勢制御板の軸方向一端側への移動を規制する
ことを特徴とする請求項１ないし３いずれか記載の自動販売機の商品収納装置。
【発明の詳細な説明】
【技術分野】
【０００１】
本発明は、上下方向に商品を収納する自動販売機の商品収納装置に関する。
【背景技術】
【０００２】
従来、例えば缶入り飲料、ビン入り飲料あるいはペットボトル入り飲料などの商品を販売する自動販売機の商品収納装置では、サーペンタイン形のコラムの蛇行した商品収納通路内に商品を上下に積み重ねて収納し、商品販売時にコラムの下部に設置されている商品排出機構によって最下位の商品から１本ずつ排出している。
【０００３】
商品収納通路は、複数のコラムレールによって蛇行した形状に形成されており、これらコラムレールの下縁部には商品収納通路内に突出付勢された姿勢制御板が回動可能に取り付けられている。そして、コラムへの商品投入時に、商品収納通路の上部から投入されて落下する商品が商品収納通路内に突出する複数の姿勢制御板に当接して蛇行しながら落下することにより、商品の落下衝撃を軽減するとともに、落下姿勢を制御して商品立ちを防止している。
【０００４】
姿勢制御板の取付構造は、コラムレールの下縁部にカール部を設けるとともにこのカール部の軸方向中間位置に切欠部を設け、また、姿勢制御板にはコラムレールの切欠部に嵌まり込むカール部を設け、そして、コラムレールのカール部と姿勢制御板のカール部とさらにコイルばねとを同軸に配置してそれらにシャフトを通すことにより、一体的に結合して取り付けている。しかし、このような取付構造では、シャフトを必要とし、組み立てに手間がかかる問題がある。
【０００５】
そこで、コラムレールには、コラムレールの内側に打ち抜き孔を設け、この打ち抜き孔の両側部に軸受片を切り起こし、また、姿勢制御板の両側には軸部を突設し、そして、姿勢制御板の一端側の軸部にコイルばねを通し、コラムレールの打ち抜き孔に挿入して一端側の軸部を軸受片に差し込み、コイルばねを縮めるように一端側に寄せながら他端側の軸部を軸受片に差し込んで取り付けることにより、シャフトを不要とした取付構造がある（例えば、特許文献１参照。）。
【特許文献１】特開２００３−１０９１０１号公報（第３−４頁、図３−４）
【発明の開示】
【発明が解決しようとする課題】
【０００６】
しかしながら、従来の姿勢制御板の取付構造では、コイルばねを姿勢制御板の一端側の軸部に通しているだけで簡単に外れてしまうため、予めコイルばねを軸部に組み込んでおくことはできず、組立作業時にもコイルばねが外れやすく、組立性が低下する問題がある。
【０００７】
本発明は、このような点に鑑みなされたもので、姿勢制御板の組立性を向上できる自動販売機の商品収納装置を提供することを目的とする。
【課題を解決するための手段】
【０００８】
請求項１記載の自動販売機の商品収納装置は、商品収納通路を形成するレール部材を有し、このレール部材に一対の姿勢制御板取付部が設けられたコラムと、前記レール部材の一対の姿勢制御板取付部にそれぞれ差し込まれて回動可能に取り付けられる軸部、およびこの軸部の軸方向中間位置に離間部が設けられた姿勢制御板と、コイル部を有し、このコイル部の軸方向寸法が前記軸部の離間部の寸法より大きく、コイル部が軸方向に縮められて離間部から軸方向両端側の軸部間に取り付けられ、前記姿勢制御板を商品収納通路内に突出する方向に付勢するコイルばねとを具備しているものである。
【０００９】
そして、姿勢制御板の軸部をレール部材の一対の紙幣制御板取付部にそれぞれ差し込んで回動可能に取り付けられるので、姿勢制御板の取付構造が簡単になり、しかも、コイルばねのコイル部を軸方向に縮めて姿勢制御板の軸部の離間部から軸方向両端側の軸部間に取り付け、コイルばねを姿勢制御板に保持するので、予めコイルばねを姿勢制御板に組み付けておくことが可能で、組立時にコイルばねが外れることがなく、組立性が向上する。
【００１０】
請求項２記載の自動販売機の商品収納装置は、商品収納通路を形成するレール部材を有し、このレール部材に筒状に曲げたカール部、およびこのカール部の軸方向中間位置に切欠部が設けられたコラムと、前記レール部材の切欠部から軸方向両端側のカール部にそれぞれ差し込まれて回動可能に取り付けられる軸部、およびこの軸部の軸方向中間位置に離間部が設けられた姿勢制御板と、コイル部を有し、このコイル部の軸方向寸法が前記軸部の離間部の寸法より大きく、コイル部が軸方向に縮められて離間部から軸方向両端側の軸部間に取り付けられ、前記姿勢制御板を商品収納通路内に突出する方向に付勢するコイルばねとを具備しているものである。
【００１１】
そして、姿勢制御板の軸部をレール部材の切欠部から軸方向両端側のカール部にそれぞれ差し込んで回動可能に取り付けられるので、姿勢制御板の取付構造が簡単になり、しかも、コイルばねのコイル部を軸方向に縮めて姿勢制御板の軸部の離間部から軸方向両端側の軸部間に取り付け、コイルばねを姿勢制御板に保持するので、予めコイルばねを姿勢制御板に組み付けておくことが可能で、組立時にコイルばねが外れることがなく、組立性が向上する。
【００１２】
請求項３記載の自動販売機の商品収納装置は、請求項１または２記載の自動販売機の商品収納装置において、レール部材は、商品収納通路内へ向けて下降傾斜するとともに商品寸法に応じて位置調整可能な投入レールであるものである。
【００１３】
そして、投入レールに姿勢制御板を取り付けたので、商品寸法に応じて投入レールの位置を調整することにより、姿勢制御板の位置についても商品寸法に応じた位置に調整される。
【００１４】
請求項４記載の自動販売機の商品収納装置は、請求項１ないし３いずれか記載の自動販売機の商品収納装置において、姿勢制御板は、軸方向一端側への軸部の突出寸法が軸方向他端側への軸部の突出寸法より大きく、コイルばねは、前記姿勢制御板の軸方向一端側への移動を規制するものである。
【００１５】
そして、姿勢制御板の軸部を突出寸法が大きい軸方向一端側、突出寸法が小さい軸方向他端側の順に姿勢制御板取付部またはカール部にそれぞれ差し込むことによって取り付けられ、さらに、コイルばねにより姿勢制御板の軸方向一端側への移動を規制して他端側の軸部が外れるのが防止される。
【発明の効果】
【００１６】
請求項１記載の自動販売機の商品収納装置によれば、姿勢制御板の軸部をレール部材の一対の紙幣制御板取付部にそれぞれ差し込んで回動可能に取り付けることができるので、姿勢制御板の取付構造を簡単にでき、しかも、コイルばねのコイル部を軸方向に縮めて姿勢制御板の軸部の離間部から軸方向両端側の軸部間に取り付け、コイルばねを姿勢制御板に保持することができるので、予めコイルばねを姿勢制御板に組み付けておくことができ、組立時にコイルばねが外れることがなく、組立性を向上できる。
【００１７】
請求項２記載の自動販売機の商品収納装置によれば、姿勢制御板の軸部をレール部材の切欠部から軸方向両端側のカール部にそれぞれ差し込んで回動可能に取り付けることができるので、姿勢制御板の取付構造を簡単にでき、しかも、コイルばねのコイル部を軸方向に縮めて姿勢制御板の軸部の離間部から軸方向両端側の軸部間に取り付け、コイルばねを姿勢制御板に保持することができるので、予めコイルばねを姿勢制御板に組み付けておくことができ、組立時にコイルばねが外れることがなく、組立性を向上できる。
【００１８】
請求項３記載の自動販売機の商品収納装置によれば、請求項１または２記載の自動販売機の商品収納装置の効果に加えて、投入レールに姿勢制御板を取り付けたので、商品寸法に応じて投入レールの位置を調整することにより、姿勢制御板の位置についても商品寸法に応じた位置に調整できる。
【００１９】
請求項４記載の自動販売機の商品収納装置によれば、請求項１ないし３いずれか記載の自動販売機の商品収納装置の効果に加えて、姿勢制御板の軸部を突出寸法が大きい軸方向一端側、突出寸法が小さい軸方向他端側の順に姿勢制御板取付部またはカール部にそれぞれ差し込むことによって取り付けることができ、さらに、コイルばねにより姿勢制御板の軸方向一端側への移動を規制して他端側の軸部が外れるのを防止できる。
【発明を実施するための最良の形態】
【００２０】
以下、本発明の一実施の形態を図面を参照して説明する。
【００２１】
図１ないし図１０に第１の実施の形態を示す。
【００２２】
図１０に示すように、例えば缶入り飲料、ビン入り飲料あるいはペットボルト飲料などの商品を販売する自動販売機11は、機体12として前面を開口した販売機本体13およびこの販売機本体13の前面に開閉可能に設けられた扉体14を有し、さらに、販売機本体13と扉体14との間に配置されて販売機本体13の前面を断熱する断熱材が組み込まれた内扉15およびローディング扉16をそれぞれ有している。
【００２３】
扉体14の上部側には商品見本展示部や操作部などが配設され、扉体14の下部側には商品を取り出す取出口17が配設されている。
【００２４】
販売機本体13は、前面を開口する箱形で、各壁面に断熱材が組み込まれており、内部には複数の仕切断熱パネル18によって複数の収納庫19が仕切られて形成され、各収納庫19には複数の商品を収納する商品収納装置のコラム20が前後方向に複数列配設されているとともに左右の収納庫19には販売機本体13の左右方向にも複数列配設されている。コラム20の上部には各コラム20に商品を投入する各コラム20毎の投入口21が形成され、各コラム20の下部にはコラム20内の商品を支えるとともに商品を１つずつ下方へ排出する商品排出機構22が配設されている。各収納庫19の下部には各コラム20から排出された商品を前方の取出口17へ案内するシュート23が配設されている。なお、内扉15にはシュート23で案内される商品を扉体14の取出口17に送り出す図示しない挿通口が形成されている。
【００２５】
また、図９に示すように、各コラム20は、商品を収納する商品収納通路26を有し、自動販売機11の前後方向に対応した商品収納通路26の前後方向（通路幅方向）の両側がコラムレール体27a，27bによって構成され、自動販売機11の左右方向に対応した商品収納通路26の左右方向（通路横幅方向）の両側が側板28，28によって構成されており、両側の側板28，28は前後の２列のコラム20に共通になっている。コラム20には、例えば缶入り飲料などの円筒状の商品が、その周面を両側のコラムレール体27a，27bに対向させるとともにその上下の端面を両側の側板28，28に対向させた横向き状態で収納される。
【００２６】
両側のコラムレール体27a，27bは、商品収納通路26に臨んで凹曲面30に形成された複数のレール部材としてのコラムレール31を有し、これらコラムレール31が商品収納通路26の両側で上下方向に略半ピッチ（半ピッチも含む）ずつずらして連続的に配置され、蛇行した商品収納通路26を形成している。
【００２７】
図１、図４および図９に示すように、各コラムレール31の上縁部および下縁部には、商品収納通路26の外側に対応した外面側に向けて筒状に曲げたカール部32，33がそれぞれ形成されている。
【００２８】
上側のカール部32には、シャフト34が挿通され、このシャフト34によって商品収納通路26の両側の側板28，28に取り付けられる。
【００２９】
下側のカール部33の軸方向（左右方向）中間位置には切欠部35が形成され、この切欠部35を介して一端側のカール部33aと他端側のカール部33bとに分離形成されている。切欠部35の両側のカール部33（カール部33a，33b）が一端側および他端側の姿勢制御板取付部としての軸受部36a，36bとして構成されている。一端側の軸受部36aの外面側には導入部37が切欠形成されている。下側のカール部33の両端はコラムレール31の両側縁より突出する取付軸部38，38が形成され、これら取付軸部38，38を商品収納通路26の両側の側板28，28に設けられた図示しない取付孔に差し込んで取り付けられる。
【００３０】
また、各コラムレール31の下縁部には、商品収納通路26内に突出する略平板状の姿勢制御板40がそれぞれ上下方向に揺動可能に取り付けられている。各姿勢制御板40の縁部にはコラムレール31の下側のカール部33内に差し込まれて回動可能に取り付けられる筒状に曲げた軸部41が連結部42を介して形成されている。この軸部41は、カール部33の内径より小さい外形の筒状に曲げられている。
【００３１】
軸部41の両端にはカール部33の一端側および他端側の軸受部36a，36bに差し込まれる差込部43a，43bが構成され、一端側の差込部43aの連結部42からの突出寸法が他端側の差込部43bの連結部42からの突出寸法より大きく形成されている。
【００３２】
軸部41の軸方向（左右方向）中間位置には離間部44が切欠形成され、この離間部44を介して軸方向（左右方向）に一対の軸部41a，41bに分離形成されている。この離間部44を介して対向する軸部41には、連結部42から突出してばね取付部45a，45bが形成されている。
【００３３】
姿勢制御板40の軸部41のばね取付部45a，45b間にはコイルばね46が取り付けられている。このコイルばね46は、コイル状に巻回されたコイル部47およびこのコイル部47の両端から突出するばね端部48を有し、コイル部47の軸方向寸法が姿勢制御板40の軸部41の離間部44の寸法より大きく設けられている。そのため、コイル部47を軸方向に縮めながら軸部41の離間部44に通し、軸部41のばね取付部45a，45b間に嵌め込んで取り付けることができる。
【００３４】
そして、各姿勢制御板40は、姿勢制御板40の上面側がコラムレール31に当接することによって商品収納通路26内に略水平に突出する位置を上限位置として上下方向に揺動可能としており、コイルばね46によって商品収納通路26内に突出する上方へ向けて付勢されている。
【００３５】
また、図８および図９に示すように、後側のコラム20の投入口21には、商品を後側の商品収納通路26内に投入するためのレール部材としての投入レール51、およびこの投入レール51に対して上方から後側にかけて対向して商品を後側の商品収納通路26内に導く上側ガイド52が配設されている。
【００３６】
投入レール51の前縁部および後後縁には、筒状に曲げたカール部53，54がそれぞれ形成されている。前側のカール部53には、シャフト55が挿通され、このシャフト55の両端が商品収納通路26の両側の側板28，28に形成された切換溝56に挿通して取り付けられている。後側のカール部54の両端は投入レール51の両側縁から突出して図示しない取付軸部として構成され、これら取付軸部が商品収納通路26の両側の側板28，28に形成された切換溝57に挿通して取り付けられている。商品収納通路26の両側の側板28，28に取り付けられた投入レール51は、商品収納通路26内へ向けて下降傾斜する状態に支持され、シャフト55および取付軸部を切換溝56，57内で切換移動させることによって商品の径方向の寸法に応じて前後方向の位置を切換調整可能としている。
【００３７】
この投入レール51の商品収納通路26の臨む先端側には、コラムレール31に取り付けられた姿勢制御板40と同じ姿勢制御板40が取り付けられている。この姿勢制御板40の取付構造は、コラムレール31への取付構造との同一であり、その説明は省略する。
【００３８】
また、図９に示すように、商品排出機構22は、商品収納通路26の一側で２列のコラム20間に配置された本体部61を有し、この本体部61から最下位の商品を係止する下ラッチ62および最下位から２番目の商品を係止する上ラッチ63が進退可能に設けられ、待機時には、下ラッチ62が商品収納通路26内に突出して最下位の商品を係止するとともに上ラッチ63が商品収納通路26の外側に退避した位置にあり、商品販売時には、図示しないソレノイドの駆動により、上ラッチ63が商品収納通路26内に突出して２番目の商品を係止するとともに下ラッチ62が商品収納通路26の下方へ回動して最下位の商品を排出する。上ラッチ63の上側には商品の売切れを検知する検知レバー64が配置されている。
【００３９】
商品排出機構22の本体部61に対向する商品収納通路26の他側には、商品の径などの大きさに応じて位置を調整可能とする排出ガイド65が配設されている。
【００４０】
次に、第１の実施の形態の作用を説明する。
【００４１】
コラム20に商品を投入する商品投入時には、投入口21から商品収納通路26に商品を投入することにより、商品がコラムレール31の凹曲面30に沿って落下してこのコラムレール31の凹曲面30の下部で姿勢制御板40に当接し、この姿勢制御板40がコイルばね46の付勢に抗して下側に斜めに回動しながら商品を反対側のコラムレール31へ案内し、同様に、商品が反対側のコラムレール31の凹曲面30に沿って落下してこのコラムレール31の凹曲面30の下部で姿勢制御板40上に当接し、この姿勢制御板40がコイルばね46の付勢に抗して下側に斜めに回動しながら商品をさらに反対側のコラムレール31へ案内するというように、商品が蛇行しながら落下し、商品排出機構22の下ラッチ62上に係止される。そのため、商品の落下速度を確実に減速させ、商品排出機構22に加わる商品の落下衝撃を確実に緩和できるとともに、商品の落下姿勢が斜めになったり立ったりすることなく横向きの一定姿勢に確実に制御できる。
【００４２】
また、後側のコラム20に商品を投入する場合には、投入レール51上に商品を投入することにより、投入レール51の傾斜で商品が転動または滑落し、投入レール51の先端から商品収納通路26内に落下する。このとき、商品が投入レール51の先端から突出する姿勢制御板40に当接し、この姿勢制御板40がコイルばね46の付勢に抗して下側に斜めに回動しながら商品を反対側のコラムレール31へ案内する。そのため、投入レール51の姿勢制御板40で商品収納通路26内に落下する前の商品の姿勢を制御でき、商品収納通路26内に落下したときの商品の落下姿勢が斜めになったり立ったりすることなく横向きの一定姿勢に確実に制御できる。
【００４３】
また、投入レール51は、収納する商品の径方向の寸法に応じて前後方向の位置を切換調整する。このとき、投入レール51に姿勢制御板40を取り付けているので、投入レール51の位置を調整することにより、姿勢制御板40の位置についても商品寸法に応じた位置に調整できる。
【００４４】
次に、コラム20のコラムレール31の組立方法について説明する。
【００４５】
図２および図３に示すように、コイルばね46のコイル部47を軸方向に縮めながら姿勢制御板40の軸部41の離間部44に通し、軸部41のばね取付部45a，45b間に嵌め込んで取り付ける。
【００４６】
図４に示すように、コイルばね46を組み込んだ姿勢制御板40の軸部41の一端側で突出寸法の大きい差込部43aを、コラムレール31のカール部33の切欠部35を通じて、一端側の軸受部36aの導入部37から軸受部36a内に差し込み、姿勢制御板40をコラムレール31に対して一端側に寄せる。
【００４７】
図５に示すように、姿勢制御板40の軸部41の他端側で突出寸法の小さい差込部43bを、コラムレール31のカール部33の切欠部35を通じて、他端側の軸受部36b内に差し込み、姿勢制御板40をコラムレール31に対して他端側に寄せる。
【００４８】
図６および図７に示すように、姿勢制御板40の軸部41の両端の差込部43a，43bが、コラムレール31のカール部33の両端の軸受部36a，36bに回動可能に支持される。コイルばね46の他端側のばね端部48がコラムレール31の外面側に当接することにより、他方のばね端部48が姿勢制御板40の下面側に当接して、姿勢制御板40を商品収納通路26内に突出する方向に対応する方向に付勢する。
【００４９】
このように、姿勢制御板40の軸部41をコラムレール31の切欠部35から軸方向両端側のカール部33にそれぞれ差し込んで回動可能に取り付けることができるので、シャフトが不要で、姿勢制御板40の取付構造を簡単にでき、しかも、コイルばね46のコイル部47を軸方向に縮めて姿勢制御板40の軸部の離間部44から軸方向両端側の軸部41間に取り付け、コイルばね46を姿勢制御板40に保持することができるので、予めコイルばね46を姿勢制御板40に組み付けておくことができ、組立時にコイルばね46が外れることがなく、組立性を向上できる。
【００５０】
姿勢制御板40の軸部41を突出寸法が大きい軸方向一端側、突出寸法が小さい軸方向他端側の順にコラムレール31のカール部33にそれぞれ差し込むことによって取り付けることができ、さらに、コイルばね46により姿勢制御板40の軸方向一端側への移動を規制して軸部41の他端側が外れるのを防止できる。
【００５１】
そして、姿勢制御板40を取り付けたコラムレール31は、下側のカール部33の両端から突出する取付軸部38，38を商品収納通路26の両側の側板28，28に設けられた図示しない取付孔に差し込んで取り付け、上側のカール部32に商品収納通路26の両側の側板28，28を貫通するシャフト34を通し、シャフト34の両端を側板28，28に例えばプッシュナットなどの止め具で係止する。そのため、予めコラムレール31に姿勢制御板40を組み付けておくことができ、コラム20の組立時のコラムレール31の組立作業性を向上できる。
【００５２】
また、投入レール51についても、予め姿勢制御板40を組み付けておくことができ、コラム20の組立時における投入レール51の組立作業性を向上できる。
【００５３】
次に、図１１ないし図１４に第２の実施の形態を示す。
【００５４】
この実施の形態は、コラムレール31における姿勢制御板40の取付構造に関する他の例で、コラムレール31の下側のカール部33には切欠部35は設けられず、代わりにコラムレール31の下部近傍の内側位置に左右方向に長い開口部71が形成され、この開口部71の左右方向の両側にコラムレール31の外面側に突出する姿勢制御板取付部としての取付片72が折曲形成されている。これら取付片72には、姿勢制御板40の軸部41が差し込まれる取付孔73が形成されている。開口部71の上縁の他端寄り位置には、ばね引掛部74が設けられている。
【００５５】
なお、姿勢制御板40およびコイルばね46の構成や、その他の構成は、第１の実施の形態と同様である。
【００５６】
そして、姿勢制御板40のコラムレール31への取付方法について説明する。
【００５７】
図１１に示すように、姿勢制御板40には、予め、コイルばね46のコイル部47を軸方向に縮めながら姿勢制御板40の軸部41の離間部44に通し、軸部41のばね取付部45a，45b間に嵌め込んで取り付けておく。
【００５８】
コイルばね46を組み込んだ姿勢制御板40の軸部41の一端側で突出寸法の大きい差込部43aを、コラムレール31の開口部71を通じてコラムレール31の内面側から外面側に通し、開口部71の一端側の取付片72の取付孔73に差し込み、姿勢制御板40をコラムレール31に対して一端側に寄せる。
【００５９】
図１２に示すように、姿勢制御板40の軸部41の他端側で突出寸法の小さい差込部43bを、コラムレール31の開口部71を通じてコラムレール31の内面側から外面側に通し、開口部71の他端側の取付片72の取付孔73に差し込み、姿勢制御板40をコラムレール31に対して他端側に寄せる。これにより、姿勢制御板40の軸部41の両端の差込部43a，43bが、コラムレール31の開口部71の両端の取付片72に回動可能に支持される。
【００６０】
図１３に示すように、コイルばね46の他端側のばね端部48をコラムレール31のばね引掛部74に引っ掛けることにより、一端側のばね端部48が姿勢制御板40の下面側に当接して押し、姿勢制御板40を商品収納通路26内に突出する方向に対応する方向に付勢する。
【００６１】
図１４に示すように、コイルばね46により姿勢制御板40の軸方向一端側への移動を規制して軸部41の他端側が外れるのを防止できる。
【００６２】
このように、姿勢制御板40の軸部41をコラムレール31の一対の取付片72の取付孔73にそれぞれ差し込んで回動可能に取り付けることができるので、シャフトが不要で、姿勢制御板40の取付構造を簡単にできる。
【図面の簡単な説明】
【００６３】
【図１】本発明の第１の実施の形態を示す自動販売機の商品収納装置におけるコラムレールおよび姿勢制御板の側面図である。
【図２】同上姿勢制御板の取付方法を示す正面図である。
【図３】同上図２に続く姿勢制御板の取付方法を示す正面図である。
【図４】同上図３に続く姿勢制御板の取付方法を示す正面図である。
【図５】同上図４に続く姿勢制御板の取付方法を示す正面図である。
【図６】同上図５に続く姿勢制御板の取付方法を示す正面図である。
【図７】同上図６に続く姿勢制御板の取付方法を示す正面図である。
【図８】同上商品収納装置の投入レールおよび姿勢制御板の側面図である。
【図９】同上商品収納装置の側面図である。
【図１０】同上自動販売機の斜視図である。
【図１１】本発明の第２の実施の形態を示し、姿勢制御板の取付方法を示す正面図である。
【図１２】同上図１１に続く姿勢制御板の取付方法を示す正面図である。
【図１３】同上図１２に続く姿勢制御板の取付方法を示す正面図である。
【図１４】同上図１３に続く姿勢制御板の取付方法を示す正面図である。
【符号の説明】
【００６４】
11    自動販売機
20    コラム
26    商品収納通路
31    レール部材としてのコラムレール
33    カール部
35    切欠部
36a，36b    姿勢制御板取付部としての軸受部
40    姿勢制御板
41    軸部
44    離間部
46    コイルばね
47    コイル部
51    レール部材としての投入レール
72    姿勢制御板取付部としての取付片
【図１】
2006190123.tif 000003
【図２】
2006190123.tif 000004
【図３】
2006190123.tif 000005
【図４】
2006190123.tif 000006
【図５】
2006190123.tif 000007
【図６】
2006190123.tif 000008
【図７】
2006190123.tif 000009
【図８】
2006190123.tif 000010
【図９】
2006190123.tif 000011
【図１０】
2006190123.tif 000012
【図１１】
2006190123.tif 000013
【図１２】
2006190123.tif 000014
【図１３】
2006190123.tif 000015
【図１４】
2006190123.tif 000016